(57)【特許請求の範囲】
【請求項１】
吊り荷の吊り下げ長さから吊り荷の荷振れの周期を演算する荷振れ周期演算手段と、ブームの旋回角を検出するブーム旋回角検出手段と、該ブーム旋回角検出手段によって検出されたブームの旋回角が旋回限界位置付近に近づくと、上記荷振れ周期演算手段によって演算された荷振れ周期に合わせてブームの旋回速度を低下させながらブームの旋回を自動的に停止させるブーム旋回停止制御手段とを有する旋回式クレーンにおいて、ウインチを停止させるウインチ停止制御手段と、該ウインチ停止制御手段がウインチの停止制御を開始してからウインチが停止するまでに必要なウインチ停止時間を演算するウインチ停止時間演算手段と、上記ウインチ停止制御開始時のブーム旋回速度に基づいて、上記ウインチ停止時間演算手段により演算されたウインチ停止時間と上記荷振れ周期演算手段により演算された荷振れ周期とを加えた時間が経過した時点における上記ブームの旋回角を演算するブーム旋回角演算手段と、該ブーム旋回角演算手段で演算されたブーム旋回角が、上記ブームの旋回限界位置付近であるか否かを判定するブーム旋回限界判定手段を設け、該ブーム旋回限界判定手段により、上記ブーム旋回角演算手段で演算されたブーム旋回角だけ移動した上記ブームの旋回位置が上記ブームの旋回限界位置付近であると判定された場合には、上記ウインチ停止制御手段によって上記ウインチを停止させた後、上記ブーム旋回停止制御手段によって、上記荷振れ周期演算手段により演算された荷振れ周期に合わせて旋回速度を低下させながら上記ブームの旋回を停止させるようにしたことを特徴とする旋回式クレーン。
【発明の詳細な説明】
【技術分野】
【０００１】
この出願の発明は、吊り荷の荷振れを生じさせることなくブームの旋回操作を自動的、かつ緩やかに停止させることができる旋回停止制御機能を備えた旋回式クレーンに関し、さらに詳しくは、ブームの旋回操作に加えて、ウインチの巻き上げ、巻き下げ操作を伴う場合にも、ブームの旋回操作のみの場合と同様に吊り荷の荷振れを生じさせることなく、ブームの旋回操作を自動的、かつ緩やかに停止させることができる旋回停止制御機能を備えた旋回式クレーンの構成に関するものである。
【背景技術】
【０００２】
ブームを旋回可能とした旋回式クレーンの中には、作業範囲の制限領域（旋回限界）に対応してブームの旋回操作を安全に自動停止させるために、ブーム旋回角度検出手段により実際のブームの旋回角度を検出しながらブームの旋回操作が予め定められた旋回限界付近に近づくと、少しずつ旋回速度を落として、緩やかに自動停止させるブーム旋回停止制御機能を備えたものがある。
【０００３】
一方、同旋回式クレーンでは、ブームの旋回操作時に吊り荷の吊り下げ長さに応じた大きさの荷振れが生じるので、そのままでは安全に停止させることができない。
【０００４】
そこで、上記のようなブーム旋回操作の停止制御機能を備えた旋回式クレーンの場合、上記ブーム旋回操作の停止時に、その時の吊り荷の吊り下げ長さに応じた荷振れの周期と同じ時間でブームの旋回速度を低下させるブーム旋回停止制御方法が採用されている（吊り荷を目標位置に位置させたときの荷振れを抑制する荷振れ抑制機能を備えた旋回式クレーンの例として、たとえば特許文献1を参照）。
【０００５】
このようなブーム旋回自動停止制御方法によれば、吊り荷の荷振れを生じさせることなく、ブームの旋回操作を自動的、かつ緩やかに停止させることができる。
【先行技術文献】
【特許文献】
【０００６】
【特許文献１】特開２００８−７４５７９号公報
【発明の概要】
【発明が解決しようとする課題】
【０００７】
しかし、旋回式クレーンでは、上記のようなブームの旋回操作を行う場合において、単にブームの旋回操作だけでなく、ブームの旋回操作を行いながら、同時にウインチの巻き上げ又は巻き下げを行うケースも多い（例えば図４のタイムチャートの（ａ）に示すブーム操作信号に加えたウインチ操作信号出力を参照）。
【０００８】
そして、このようなブームの旋回操作に加えてウインチの巻き上げ又は巻き下げ操作を伴う場合においても、上記のように荷振れ周期ｔ１（秒）に応じたブームの旋回動作の停止に合わせて、当該ウインチの動作をも自動的、かつ緩やかに停止させるようにすることが考えられる（例えば上記図４のタイムチャートの旋回出力信号（ｂ）およびウインチ出力信号（ｃ）を参照）。
【０００９】
しかし、このようにブームの旋回速度を下げながら、ウインチの巻き上げ又は巻き下げ速度を下げるようにした場合、荷振れを抑制すべきブームの旋回中にウインチの巻き上げ又は巻き下げが行われることから、吊り荷の吊り下げ長さが時々刻々と変化する。
【００１０】
その結果、上記荷振れの周期ｔ１（秒）が定まらなくなり、上記ブームの旋回操作のみの場合のように、荷振れの周期ｔ1（秒）と同じ時間でブームの旋回速度を低下させることができず、吊り荷の荷振れを防止しながら、旋回操作を緩やかに自動停止させることができない問題があった。
【００１１】
この出願の発明は、このような課題を解決するためになされたもので、ウインチの停止制御を開始してからウインチが停止するまでに必要なウインチ停止時間を演算し、ブームの旋回限界位置に対応して吊り荷の吊り下げ長さに応じた荷振れ周期で旋回速度を低下させる旋回停止制御が開始される時点ではウインチが停止しているように、ウインチの停止時間に応じた早めのウインチの停止制御を行うことによって、ブームの旋回操作とともにウインチの巻き上げ又は巻き下げ操作を行っていた場合にも、吊り荷の荷振れを生じさせることなく、ブームの旋回操作を緩やかに停止させることができるようにした旋回式クレーンを提供することを目的とするものである。
【課題を解決するための手段】
【００１２】
この出願の発明は、上記の課題を解決するために、次のような課題解決手段を備えて構成されている。
（１）第１の課題解決手段
すなわち、この発明の第１の課題解決手段は、  吊り荷の吊り下げ長さから吊り荷の荷振れの周期を演算する荷振れ周期演算手段と、ブームの旋回角を検出するブーム旋回角検出手段と、該ブーム旋回角検出手段によって検出されたブームの旋回角が旋回限界位置付近に近づくと、上記荷振れ周期演算手段によって演算された荷振れ周期に合わせてブームの旋回速度を低下させながらブームの旋回を自動的に停止させるブーム旋回停止制御手段とを有する旋回式クレーンにおいて、ウインチを停止させるウインチ停止制御手段と、該ウインチ停止制御手段がウインチの停止制御を開始してからウインチが停止するまでに必要なウインチ停止時間を演算するウインチ停止時間演算手段と、上記ウインチ停止制御開始時のブーム旋回速度に基づいて、上記ウインチ停止時間演算手段により演算されたウインチ停止時間と上記荷振れ周期演算手段により演算された荷振れ周期とを加えた時間が経過した時点における上記ブームの旋回角を演算するブーム旋回角演算手段と、該ブーム旋回角演算手段で演算されたブーム旋回角が、上記ブームの旋回限界位置付近であるか否かを判定するブーム旋回限界判定手段を設け、該ブーム旋回限界判定手段により、上記ブーム旋回角演算手段で演算されたブーム旋回角だけ移動した上記ブームの旋回位置が上記ブームの旋回限界位置付近であると判定された場合には、上記ウインチ停止制御手段によって上記ウインチを停止させた後、上記ブーム旋回停止制御手段によって、上記荷振れ周期演算手段により演算された荷振れ周期に合わせて旋回速度を低下させながら上記ブームの旋回を停止させるようにしている。
【００１３】
すなわち、この発明の第１の課題解決手段の構成では、まず、ウインチ停止制御手段に加えて、ウインチ停止時間演算手段が設けられており、ウインチ停止制御手段がウインチの停止制御を開始してから実際にウインチが停止するまでにかかるウインチ停止時間が演算されるようになっている。
【００１４】
次に、それに加えて、上記ウインチ停止制御手段によるウインチ停止制御開始時のブーム旋回速度に基づいて、上記ウインチ停止時間演算手段により演算されたウインチ停止時間と上記荷振れ周期演算手段により演算された荷振れ周期とを加えた時間が経過した時点におけるブームの旋回角を演算するブーム旋回角演算手段と、該ブーム旋回角演算手段で演算されたブーム旋回角だけ移動したブームの旋回位置が、予め定められているブームの旋回限界位置付近であるか否かを判定するブーム旋回限界判定手段が設けられている。
【００１５】
そして、これにより、上記ウインチ停止制御開始時のブーム旋回速度に基づいて、上記ウインチ停止時間および荷振れ周期を合わせた時間が経過した時点におけるブームの旋回位置を予測し、該予測されたブームの旋回位置が、予め設定されているブームの旋回限界位置付近であるか否かが判定される。
【００１６】
そして、該判定されたブームの旋回位置が、上記ブームの旋回限界位置付近であった時には、まずウインチチ停止制御手段によってウインチの停止制御を行い、上記ウインチ停止時間が経過した時点から、上記ブーム旋回停止制御手段を作動させて、上記荷振れ周期に合わせたブーム旋回操作の停止制御を開始して、ブームの旋回動作を緩やかに停止させる。
【００１７】
他方、上記判定されたブームの旋回位置が上記ブームの旋回限界位置付近でない時には、そのまま旋回操作を継続させる。
【００１８】
このような構成によると、少なくともブーム旋回角検出手段により検出される実際のブームの旋回角が作業範囲制限領域等の旋回限界位置付近に近づき、その旋回速度を低下させながら、旋回を停止させなければならない段階になると、ウインチの動作は自動的に停止されていることになる。
【００１９】
したがって、ブームの旋回操作を行いながら、ウインチの操作を行っていた複合操作時にも、ウインチ操作を行っていなかった単独操作の場合と同様に、吊り荷の荷振れを生じさせることなく、ブームの旋回を緩やかに自動停止させることができるようになる。
【発明の効果】
【００２０】
以上の結果、この出願の発明によると、ブームの旋回操作とともにウインチの巻き上げ又は巻き下げ操作を行っていた場合にも、ブームの旋回操作のみであった場合と同様に吊り荷の荷振れを生じさせることなく、ブームの旋回操作を緩やかに自動停止させることが可能となる。
【図面の簡単な説明】
【００２１】
【図１】この出願の発明の実施の形態に係る旋回式クレーンのクレーン本体部分の基本的な構成を示す概略図である。
【図２】同実施の形態に係る旋回式クレーンの旋回停止制御装置の制御回路部分の構成を示すブロック図である。
【図３】同実施の形態に係る旋回式クレーンの旋回停止制御装置の図２の制御回路によるウインチの停止制御およびそれを前提とするブームの旋回停止制御作用を示すタイムチャ−トである。
【図４】ウインチの巻き上げ又は巻き下げ操作を伴う場合における従来の旋回式クレーンのブーム旋回停止制御装置よる問題点を示すタイムチャートである。
【発明を実施するための形態】
【００２２】
以下、この出願の発明を実施するための所定の形態の構成および作用について、添付の図１〜図３を参照して詳細に説明する。
【００２３】
＜この出願の発明が適用される旋回式クレーンの基本的な構成＞
まず、図１は、この出願の発明の旋回式クレーンにおけるブーム旋回停止制御装置が適用される旋回式クレーンのクレーン本体部分の基本的な構成を示している。この実施の形態では、旋回式クレーンの一例として、たとえば移動式の旋回式クレーン（トラッククレーン）が採用されている。
【００２４】
すなわち、この実施の形態の旋回式クレーンは、車輪１ａ，１ａ・・と、運転席１ｂを有して走行可能に構成された車両（キャリア）１と、該車両１の車体１ｃの上部に旋回支持体２を介して旋回可能に設けられた旋回体３と、該旋回体３のブーム支持部にヒンジ（フートピン）４を介して基端側を枢着され、起伏シリンダ５を介して上下方向に起伏可能に、また伸縮シリンダ（図示せず）を介して長さ方向に伸縮可能に設けられた作業用のブーム６と、該ブーム６の基端側旋回体３上のウインチ３０から同ブーム６の先端側ブームヘッド部分（シーブ部分）に延び、同ブームヘッド部分から下方に延設されたワイヤロープ７と、該ワイヤロープ７に吊り下げられたフックブロック８とからなっている。
【００２５】
そして、吊り荷作業時には、上記フックブロック８に所定の荷重の吊り荷３１が吊り下げられ、上記ウインチ３０のウインチドラム（図示省略）を回転させるウインチモータ（図２中の符号２４を参照）の駆動により、巻き上げられ、また巻き下げられる。また、それと同時に、上記ブーム6の起伏、伸縮、旋回によって必要な吊り荷作業が行われる。
【００２６】
同ブーム6の起伏、伸縮、旋回操作は、当該クレーンに設けられている作業範囲制限装置における作業範囲制限パラメータによって可動範囲が制限されているほか、後述するように旋回操作が旋回限界位置近傍に近づいた時には、同ブーム6の旋回操作を荷振れ周期に合わせて自動的に停止させるブーム旋回自動停止制御装置により停止されるようになっている。
【００２７】
また、上記車両１の車体１ｃの前後には、左右各方向に張り出すアウトリガ９，９・・が設けられている。また、上記旋回体３の前端側にはクレーン作業用の運転席３ａが設けられている一方、後端側にはカウンタウエイト３ｂが設けられている。
【００２８】
この実施の形態の場合、上記ブーム６は、たとえばベースブーム６ａ、中間ブーム６ｂ、トップブーム６ｃの３本のブーム（３段ブーム）で構成されている。
【００２９】
上記旋回支持体２は、図示はしないが、車体１ｃ側に支持された受台と、該受台上部に固定された大径の固定歯車（旋回輪）と、上記受台の上面にあって、上記旋回体３を水平回転可能に支持するボールベアリングと、上記受台の中心軸部分を上下に貫通する筒状のセンタージョイント（ロータリージョイント）と、該センタージョイントの上部に同心状態で設けられた筒体構造のスリップリング部とからなっている。
【００３０】
また、上記旋回体３側には、油圧モータ（または電気モータ）よりなるブーム旋回モータ（図２中の符号２５を参照）が設けられており、該ブーム旋回モータのピニオンを上記大径の固定歯車に噛み合わせ、同ブーム旋回モータにより回転駆動することによって、上記旋回体３が上記センタージョイントを回転中心として、上記ボールベアリング上を右方向または左方向に任意に旋回せしめられるようになっている。
【００３１】
そして、これにより、上記作業範囲制限装置により定められた作業範囲制限領域内（作業現場においてビルなどの障害物がある場合を含む）において、上記ブーム６が右方向又は左方向に所定の旋回角範囲で旋回操作される。
【００３２】
＜ブーム旋回操作の停止制御およびその前提となるウインチの停止制御に必要な各種検出手段＞
この出願の発明は、前述のように、その時のウインチ３０のウインチドラムの回転速度に基づいて、ウインチ３０の停止制御を開始（停止指令信号を出力）してから実際にウインチ３０（ウインチモータ２４およびウインチドラム）が停止するまでに必要なウインチ停止時間ｔ２を演算し、それに対応して、上記吊り荷３１の吊り下げ長さｌに応じた荷振れ周期ｔ１で上記ブーム６の旋回操作を停止させるブーム旋回停止制御の開始よりも先に、まずウインチ３０の停止制御を開始し、上記ウインチ３０の停止時間が経過した時点から上記ブーム６の旋回停止制御が開始されるようにすることによって、上記ブーム旋回停止制御が開始される時点ではウインチ３０が停止しているようにし、ウインチ３０の巻き上げ又は巻き下げを行ないながらブーム６の旋回操作が行われていた場合にも、そうでなかった場合と同様に吊り荷３１の荷振れを生じさせることなく、ブーム６の旋回操作を緩やかに自動停止させることができるようにしている。
【００３３】
そして、そのような制御を可能とするために、上記図１の旋回式クレーンには、たとえば図２の制御回路図に示されるような検出手段が設けられている。
【００３４】
すなわち、上記ウインチ３０部分には同ウインチ３０のウインチドラムの回転量ｎを検出するウインチドラム回転量検出手段１２が、また上記ブーム６部分には上記ブーム６の実際の旋回角φを検出するブーム旋回角検出手段１４がそれぞれ設けられている。
【００３５】
上記ウインチドラム回転量検出手段１２は、例えばパルスエンコーダにより構成されており、上記ウインチドラムの回転量に応じて出力されるパルス数によりウインチドラムの回転量ｎを検出する。
【００３６】
これら各検出手段で検出された検出データは、次に述べるようなクレーンの旋回停止制御装置を構成するマイコン式の旋回停止制御ユニット１０における制御回路の所定の演算手段部分に入力されて、必要な演算処理、制御処理が施されるようになっている。
【００３７】
＜クレーンの旋回停止制御ユニットの制御回路部分の構成＞
すなわち、この実施の形態のクレーンの旋回停止制御ユニット１０は、例えば図２に詳細に示すように、上記ウインチドラム回転量検出手段１２により検出されたウインチドラムの回転量ｎに基づいて吊り荷３１の吊り下げ長さ（ワイヤロープ７によるブームヘッドからの吊り下げ長さ）ｌを演算する吊り下げ長さ演算手段１６と、該吊り下げ長さ演算手段１６により演算された吊り荷３１の吊り下げ長さｌに基づいて吊り荷３１の荷振れの周期ｔ１を演算する荷振れ周期演算手段１７と、上記ウインチドラム回転量検出手段１２により検出されたウインチドラムの回転量ｎを入力し、同ウインチドラムの単位時間当たりの回転量（パルスエンコーダからのパルス数）から得られたウインチドラムの回転速度に基づいて、後述するウインチ停止制御手段２２によるウインチ３０の停止制御が開始されてから実際にウインチ３０（ウインチモータ２４）が停止するまでのウインチ停止時間ｔ２を演算するウインチ停止時間演算手段１８と、上記ブーム旋回角検出手段１４により検出された実際のブーム旋回角φに基づいて上記ブーム6の旋回速度ωを演算するブーム旋回速度演算手段１５と、このブーム旋回速度演算手段１５により演算された実際のブーム旋回速度ω、上記ウインチ停止時間演算手段１８により演算されたウインチ停止時間ｔ２、上記荷振れ周期演算手段１７により演算された吊り荷３１の吊り下げ長さに応じた荷振れ周期ｔ１を各々入力し、現在のブーム旋回速度ωで旋回しながら、上記ウインチ３０の停止時間ｔ２と上記荷振れ周期ｔ１とを合わせた時間（ｔ１＋ｔ２）が経過した時の当該ブーム6の旋回角φ１を演算するブーム旋回角演算手段１９と、予め作業範囲制限領域に応じたブーム6の旋回限界位置φ2を設定するブーム旋回限界位置設定手段２１と、上記ブーム旋回角演算手段１９で演算されたブーム旋回角φ１だけ移動した上記ブーム６の旋回位置（予測旋回位置）が、上記ブーム旋回限界位置設定手段２１で設定されているブーム６の旋回限界位置φ２付近であるか否かを判定し、上記ブーム６の旋回位置（予測旋回位置）が上記ブーム旋回限界位置設定手段２１で設定されている上記ブーム６の旋回限界位置φ２付近である場合には、ウインチ停止制御手段２２に対してウインチ停止指令信号Ｓ１を出力してウインチモータ２４を停止させるとともに、同ウインチ停止指令信号Ｓ１を出力してから上記ウインチ停止時間ｔ２が経過すると、上記荷振れ周期演算手段１７によって演算された荷振れ周期ｔ１に合わせて上記ブーム６の旋回を停止させるブーム旋回停止制御手段２３に対してブーム旋回停止指令信号Ｓ２を出力するブーム旋回限界判定手段２０と、該ブーム旋回限界判定手段２０から供給されたウインチ停止指令信号Ｓ１に対応して上記ウインチモータ２４を停止させるウインチ停止制御手段２２と、上記ブーム旋回限界判定手段２０からブーム旋回停止指令信号Ｓ２の入力があった時（ウインチ停止時間演算手段１８により演算されたウインチ停止時間ｔ２が経過した時）に、上記荷振れ周期演算手段１７によって演算された荷振れ周期ｔ１に合わせて上記ブーム旋回モータ２５を制御し、上記ブーム６の旋回速度ωを低下させながら上記ブーム6の旋回を停止させるブーム旋回停止制御手段２��とから構成されている。
【００３８】
なお、上記吊り荷３１の吊り下げ長さｌを演算する上記吊り下げ長さ演算手段１６による吊り下げ長さの演算は、上述のように、その時のブーム6の長さ（伸縮量）Lとウインチドラムの回転量ｎの変化から求められるが、より具体的には、当該ウインチドラムの直径、ワイヤロープの掛け数等をも考慮して演算される。
【００３９】
また、上記ブーム6の旋回速度を演算するブーム旋回速度演算手段１５は、たとえばポテンショメータ等を用いて構成された上記ブーム旋回角検出手段１４から出力される実際のブーム旋回角φの検出値を所定のサンプリング周期で入力し、同サンプリング周期ごとのブーム旋回角φの変化から現在のブーム旋回速度ωを演算するようになっている。
【００４０】
また、上記荷振れ周期演算手段１７は、上記吊り荷長さ演算手段１６により演算された吊り荷３１の吊り下げ長さｌに基づいて荷振れ周期ｔ１を演算する（ｔ１＝２π√ｌ／ｇ  ただし、ｇは重力加速度を示す）。
【００４１】
また、以上の説明における、上記吊り荷３１の吊り下げ長さｌ、荷振れ周期ｔ１、ウインチ停止時間ｔ２、ブーム旋回角φ、ブーム旋回角φ１、ブーム旋回限界位置φ２、ブーム旋回速度ω等の単位は、次の通りである（以下の説明においても同じである）。
【００４２】
吊り荷３１の吊り下げ長さｌ：ｍ、荷振れ周期ｔ1：ｓ（秒）、ウインチ停止時間ｔ2：ｓ（秒）、ブーム旋回角φ：ｒａｄ、ブーム旋回角φ1：ｒａｄ、ブーム旋回限界位置φ2：ｒａｄ、ブーム旋回速度ω：ｒａｄ／ｓ
＜ブーム旋回操作の停止制御およびそれを前提とするウインチの停止制御＞
次に、この実施の形態では、上記図２の構成の制御回路を用いて、次のようなブーム旋回操作の停止制御および同ブーム旋回操作停止制御の前提となるウインチの停止制御が行われる。
【００４３】
これらウインチの停止制御およびブーム旋回操作の停止制御は、たとえば図３のタイムチャートの（ｂ）〜（ａ）に示すように、相互にリンクし、かつ連続した制御シーケンスとして実行されるようになっている。
【００４４】
すなわち、上記図２の制御回路の構成では、まずウインチ３０の駆動状態を制御するウインチ停止制御手段２２に加えて、ウインチ停止時間演算手段１８が設けられており、その時のウインチ３０のウインチドラムの回転速度に基づき、ウインチ停止制御手段２２がウインチ３０の停止制御を開始してから実際にウインチ３０（ウインチモータ２４）が停止するまでにかかるウインチ停止時間ｔ２が演算されるようになっている。
【００４５】
次に、それに加えて、上記ウインチ停止制御手段２２によるウインチ停止制御開始時のブーム旋回速度ωに基づいて、上記ウインチ停止時間演算手段１８により演算されたウインチ停止時間ｔ2と上記荷振れ周期演算手段１７により演算された荷振れ周期ｔ１とを加えた時間（ｔ１＋ｔ２）が経過した時点におけるブーム６の旋回角φ１を演算（予測）するブーム旋回角演算手段１９と、該ブーム旋回角演算手段１９で演算（予測）されたブーム旋回角φ1だけ移動した時のブーム６の旋回位置が、たとえば作業範囲制限領域に対応してブーム旋回限界位置設定手段２１により予め定められているブーム６の旋回限界位置φ２付近であるか否かを判定するブーム旋回限界判定手段２０が設けられている。
【００４６】
そして、これにより、上記ウインチ停止制御開始時のブーム旋回速度ωに基づいて、上記ウインチ停止時間ｔ２および荷振れ周期ｔ１を合わせた時間（ｔ１＋ｔ２）が経過した時点におけるブーム６の旋回角φ１を演算（予測）し、該演算（予測）されたブーム旋回角φ1だけ移動した時のブーム６の旋回位置が、上記予め設定されている作業範囲制限領域におけるブーム６の旋回限界位置φ２付近であるか否かが判定される。
【００４７】
そして、該判定されたブーム６の旋回位置が、上記ブーム６の旋回限界位置φ２付近であった時には、先ず上記ウインチ停止制御手段２２によりウインチモータ２４の駆動を停止し、ウインチ３０の作動を停止させる。このウインチモータ２４の駆動停止指令時には、それと同時に上記ブーム6の伸縮、起伏等の旋回操作以外の全ての操作を停止させて、作業半径、吊り荷３１の吊り下げ長さが変化しないようにする（図３の（ｂ）参照）。
【００４８】
そして、その後、上記ウインチ停止時間ｔ２が経過すると、同ウインチ停止時間ｔ２の経過時点（図３の（ｂ）参照）から、上記ブーム旋回停止制御手段２３を作動させて、上記荷振れ周期ｔ１に合わせたブーム旋回操作の停止制御を開始して、上記ブーム６の旋回を緩やかに停止させる（図３の（ａ）参照）。
【００４９】
他方、上記判定されたブーム６の旋回角位置が、上記ブーム６の旋回限界位置φ２付近でない時には、そのまま旋回操作を継続させる。
【００５０】
このような構成によると、少なくともブーム旋回角検出手段１４により検出される実際のブーム６の旋回角φが作業範囲制限領域の旋回限界位置φ２付近に近づき、その旋回速度ωを低下させながら、旋回を停止させなければならない段階になると、ウインチ３０の動作は自動的に停止されていることになり、それに続いてブームの旋回停止制御が開始されることになる。
【００５１】
したがって、ブーム６の旋回操作を行いながら、ウインチ３０の巻き上げ又は巻き下げ操作を行っていた複合操作時にも、ウインチ３０の巻き上げ又は巻き下げ操作を行っていなかった場合と同様に、吊り荷３１の荷振れを生じさせることなく、ブーム６の旋回操作を緩やかに自動停止させることができるようになる。
【００５２】
この場合、上記ウインチ３０の停止制御を開始してから実際に停止するまでの間、上記ブーム６は、少なくとも旋回操作自体は可能であり、通常の旋回速度で旋回させることができる。またウインチ３０の停止後も、旋回自体は可能であるが、その旋回速度が徐々に低減される（図３の（ａ）参照）。
【００５３】
これらの結果、上記実施の形態によると、ブーム６の旋回操作とともにウインチ３０の巻き上げ又は巻き下げ操作を行っていた時にも、ブーム６の旋回操作のみであった場合と同様に吊り荷３１の荷振れを生じさせることなく、ブーム６の旋回操作を緩やかに自動停止させることが可能となる。
【符号の説明】
【００５４】
１は車両、２は旋回支持体、３は旋回体、５は起伏シリンダ、６はブーム、７はワイヤロープ、８はフックブロック、１０はクレーンの旋回自動停止制御ユニット、１２はウインチドラム回転量検出手段、１４はブーム旋回角検出手段、１６は吊り下げ長さ検出手段、１７は荷振れ周期演算手段、１８はウインチ停止時間演算手段、１９はブーム旋回角演算手段、２０はブーム旋回限界判定手段、２１はブーム旋回限界位置設定手段、２２はウインチ停止制御手段、２３はブーム旋回停止制御手段、２４はウインチモータ、２５はブーム旋回モータである。
【図１】
0006565247.tif 000002
【図２】
0006565247.tif 000003
【図３】
0006565247.tif 000004
【図４】
0006565247.tif 000005